(57)【要約】【課題】ランプ装置において、端部に口金部を備えるランプを取り付ける器具本体に反射板を設置するについて、共通の器具本体に異なる幅の反射板を設置可能にする。【解決手段】ランプ装置１は、ランプ10の口金部12に立設された電極端子12aが挿入されるソケット部20を保持する器具本体２に反射板５を配設するについて、器具本体２が、両側部の先端に枢支部33が形成された固定部３と、前記枢支部33に揺動可能に枢支される連結部42からランプ10の側方に向けて延び、先端に反射板取付け部41を有するサイドカバー４とを備えてなり、サイドカバー４の揺動により幅の異なる反射板５が固着可能である。【選択図】図１
2008218129.tif 000002
【特許請求の範囲】
【請求項１】
直管状のランプ管の端部に電極端子を立設された口金部を備えたランプと、前記電極端子が挿入されるソケット部と、前記ソケット部を保持する器具本体と、前記ランプに面して前記器具本体に配設される反射板とを備え、
前記器具本体が、ランプ設置方向に延びて固定され、長手方向の両端部に前記ソケット部が固着され、両側部の先端に枢支部が形成された固定部と、前記固定部の枢支部に揺動可能に枢支される連結部から前記ランプの側方に向けて延び、先端に反射板取付け部を有するサイドカバーとを備えてなり、
前記両側のサイドカバーの反射板取付け部に前記反射板の両側部が固着され、前記サイドカバーの揺動により幅の異なる反射板が固着可能であることを特徴とするランプ装置。
【請求項２】
前記反射板が、幅の異なる複数種類のものが用意され、設置する反射板の幅に応じて前記サイドカバーの開き角度を調整し、その先端の反射板取付け部に該反射板の両側部を固着してなることを特徴とする請求項１に記載のランプ装置。
【請求項３】
前記反射板が、可撓性部材によって構成され、前記サードカバーの反射板取付け部に固着した状態で、該サイドカバーの開き角度が変更可能であることを特徴とする請求項１に記載のランプ装置。
【請求項４】
前記サイドカバーの連結部が、先端縁部が内側に円弧状に形成された湾曲部で構成され、前記固定部の枢支部が外面より内側に円弧状に湾曲形成された湾曲溝で構成されてなることを特徴とする請求項１に記載のランプ装置。
【発明の詳細な説明】
【技術分野】
【０００１】
本発明はランプ装置、特に端部に電極端子を備えた直管状のランプを装着する器具本体への反射板取付け構造に関するものである。
【背景技術】
【０００２】
従来、複数の蛍光ランプを直線的に連続配置すると、蛍光ランプ両端の口金部の低輝度部分が蛍光ランプの隣接部分に現れるため、全体を通して見た時に蛍光ランプの明るさが不連続になるという問題があった。それをなくすため、口金部を蛍光ランプの側面に設け、ランプの両端まで明るく光る蛍光ランプが提案され、実用化されている（特許文献１参照）。
【０００３】
そして、図５に例示するように、本発明でも用いることができる蛍光ランプ１０（商品名「シームレスランプ」）は、直管状のランプ管１１の両端部の側面に、長手方向と直交する方向に立設された電極端子１２ａを有する口金部１２が設けられてなる。この口金部１２の電極端子１２ａを器具本体に設置されたソケット部のスロットに差し込んで取り付けるようになっている（後述の本発明の実施形態参照）。
【特許文献１】特開平９−１１５６２７号公報
【発明の開示】
【発明が解決しようとする課題】
【０００４】
また、ランプを取り付ける器具本体は、ランプ設置方向に長い箱状に形成され、両端部に前述のソケット部を備えている。ランプの照明効率を高めるためには、器具本体に反射体を設置することが有効であるが、単に箱状の器具本体のランプに面する部位を反射面とするものでは、反射効率が不足したり、デザイン的な要求に適合できない問題がある。
【０００５】
さらに、通常のランプ装置においては、ランプの背部に反射板を設置することが一般的であるが、上記のように反射効率の点、および、デザイン面の要求から異なる幅の反射板を設置することが要求される。その際に、反射板の両端部を器具本体で保持することが好ましいものであるが、器具本体の幅を反射板の幅に合わせて複数設定することは、生産性、部品数、在庫管理等が煩雑となる虞がある。
【０００６】
本発明はこのような要望に応えてなされたものであり、端部に口金部を備えるランプを取り付ける器具本体に反射板を設置するについて、共通の器具本体に異なる幅の反射板を設置することができるランプ装置を提供することを目的とするものである。
【課題を解決するための手段】
【０００７】
本発明のランプ装置は、直管状のランプ管の端部に電極端子を立設された口金部を備えたランプと、前記電極端子が挿入されるソケット部と、前記ソケット部を保持する器具本体と、前記ランプに面して前記器具本体に配設される反射板とを備え、
前記器具本体が、ランプ設置方向に延びて固定され、長手方向の両端部に前記ソケット部が固着され、両側部の先端に枢支部が形成された固定部と、前記固定部の枢支部に揺動可能に枢支される連結部から前記ランプの側方に向けて延び、先端に反射板取付け部を有するサイドカバーとを備えてなり、
前記両側のサイドカバーの反射板取付け部に前記反射板の両側部が固着され、前記サイドカバーの揺動により幅の異なる反射板が固着可能であることを特徴とするものである。
【０００８】
前記反射板が、幅の異なる複数種類のものが用意され、設置する反射板の幅に応じて前記サイドカバーの開き角度を調整し、その先端の反射板取付け部に該反射板の両側部を固着してなるもので構成できる。
【０００９】
また、前記反射板が、可撓性部材によって構成され、前記サードカバーの反射板取付け部に固着した状態で、該サイドカバーの開き角度が変更可能であるもので構成できる。
【００１０】
前記サイドカバーの連結部が、先端縁部が内側に円弧状に形成された湾曲部で構成され、前記固定部の枢支部が外面より内側に円弧状に湾曲形成された湾曲溝で構成されてなるものが好適である。
【００１１】
なお、本発明のランプ装置に用いるランプとしては、直管状の蛍光ランプ管の端部側面に口金部を備えた前述のシームレスタイプの蛍光ランプのほか、ランプ管の端部端面に口金部を備えた一般的な蛍光ランプ、白熱ランプ管などの直管系ランプが適用可能である。
【発明の効果】
【００１２】
本発明のランプ装置によれば、ランプ端部の口金部に立設された電極端子が挿入されるソケット部を保持する器具本体に反射板を配設するについて、前記器具本体が、両側部の先端に枢支部が形成された固定部と、前記枢支部に揺動可能に枢支される連結部からランプの側方に向けて延び、先端に反射板取付け部を有するサイドカバーとを備えてなり、サイドカバーの揺動により幅の異なる反射板が固着可能であることにより、照明効率を変更する場合、またはデザイン的な要求によって反射板の形態が変更され、その幅が変更する場合においても、この反射板の両端部を固着して保持する器具本体のサイドカバーは、その幅の変更に応じて開き角度を調整することでその両側部を保持でき、共通の器具本体によって対応できるものであり、複数種類の器具本体を生産する必要がなく、生産性の向上、在庫管理の簡素化が図れる。
【００１３】
また、ランプの交換時などにおいて、反射板を取り外してまたは可撓性の反射板では取り付けた状態で、サイドカバーを広げるように開き角度を変更させることにより、ランプの両側の空間が広くなり、その把持が容易に行えて操作性に優れ、ランプとソケット部とを容易に着脱することができる。
【発明を実施するための最良の形態】
【００１４】
以下、本発明にかかる一実施の形態のランプ装置について、図面を参照して詳細に説明する。図１は本実施形態の蛍光ランプによるランプ装置の正面図、図２は図１の蛍光ランプを取り外した状態の要部の平面図、図３は図１の反射板を取り外した状態の正面図、図４は異なる形態の反射板を設置した状態を一部省略して示すランプ装置の正面図である。なお本実施形態では便宜上、図１においてランプが位置する側（図１中上側）を上方として説明する。
【００１５】
本実施形態のランプ装置１は、蛍光ランプ１０とソケット部２０と器具本体２とを備え、器具本体２に設置されたソケット部２０に蛍光ランプ１０が着脱可能に装着される。また、器具本体２は、設置部位に固定される固定部３と、この固定部３に揺動可能に連結されるサイドカバー４と、このサイドカバー４に固着される反射板５とで構成される。
【００１６】
蛍光ランプ１０は、図１および図５に示す如く、直管状のランプ管（蛍光管）１１の軸方向両端部ではなく主発光面である側面（周面）にＪＩＳの定めるＧ５口金に対応した口金部１２が取り付けられている。この口金部１２は、前記ランプ管１１と反対側の外面に長手方向に対して直交方向（下方）に延びるように立設された２本の電極端子１２ａと、両側面に長手方向にリブ状に延びて形成された係合凸部１２ｂとを備えている。
【００１７】
上記のように構成された蛍光ランプ１０に対応するソケット部２０は、図２にも示す如く、上述した電極端子１２ａが挿入されるスロット２１（電極部）と、上述した口金部１２を保持する保持部材２２とを備えている。
【００１８】
スロット２１は、ソケット部２０の上面に電極端子１２ａがそれぞれ挿入される開口で構成され、内部には図示しない電極板が配設されている。またソケット部２０の下面には図示しない固定用のネジ穴が形成されている。
【００１９】
保持部材２２は、前記蛍光ランプ１０の口金部１２の両側に形成された係合凸部１２ｂを弾性的に保持する一対の弾性部材で形成されている。具体的には、保持部材２２は板バネが略凵状に屈曲され、その中間部２２ａが前記ソケット部２０に固定され、中間部２２ａの両側に立ち上がって連設された押圧部２２ｂが内方に弾力を有してなり、両側の押圧部２２ｂの先端部が内側に突出してから外側に広がる係合構造に形成され、この先端係合構造が前記口金部１２の挿入動作に応じて変位して、その係合凸部１２ｂを弾性的に保持するようになっている。
【００２０】
次に、器具本体２はランプ設置方向に延び、アルミニウム引抜き材による固定ベースとなる固定部３と、両側の揺動可能なサイドカバー４とを備え、このサイドカバー４の先端の反射板取付け部４１に反射板５の両側部が固着される。
【００２１】
固定部３は、長手方向の両端部に前記ソケット部２０が固着される取付け基部３１と、該取付け基部３１の両側端よりソケット部２０の側方に立ち上がり先端に枢支部３３が形成された基部側壁３２とを有する。取付け基部３１は、ランプ設置部位に止着される。
【００２２】
サイドカバー４は、前記固定部３の両側の基部側壁３２の枢支部３３に揺動可能に枢支される連結部４２と、該連結部４２から蛍光ランプ１０の側方に向けて延びた先端の前記反射板取付け部４１と、この反射板取付け部４１から内側に円弧状に延びる内カバー４３とを有する。反射板取付け部４１は、内側の先端部に反射板５の先端が固着される固着面４１ａを有するとともに、その下部に係合溝４１ｂを有する。この係合溝４１ｂによる反射板の保持は、図４により後述する。
【００２３】
前記サイドカバー４の揺動構造、すなわち固定部３の枢支部３３とサイドカバー４の連結部４２の構造を説明する。前記サイドカバー４の連結部４２は、先端縁部が内側に円弧状に形成された湾曲部４２ａで構成され、一方、前記固定部３の枢支部３３は基部側壁３２の外面より内側に円弧状に湾曲形成された湾曲溝３３ａで構成され、この湾曲溝３３ａに連結部４２の湾曲部４２ａが摺動可能に挿入されている。これにより、サイドカバー４は、湾曲溝３３ａと湾曲部４２ａの円弧を中心として内外に揺動するように保持されてなる。
【００２４】
図１では、比較的幅の広い反射板５が取り付けられたもので、両側のサイドカバー４はその側面が垂直状態より外側に開かれた状態で、反射板５の両側縁が反射板取付け部４１の内側の先端部の固着面４１ａに固着され、その開き角度（内角）は９０度より大きくなっている。このサイドカバー４の開き角度は、取り付けられた反射板５により保持されるか、固定部３との連結構造に規制手段を付設してもよい。
【００２５】
前記反射板５の長手方向の長さは、図２に示す如く、ソケット部２０に対する口金部１２の挿入を阻害しないように、両端部はソケット部２０より内側となるように短く形成され、該ソケット部２０が露出している。
【００２６】
また、同様に、サイドカバー４の開き角度が９０度の位置で、その内カバー４３がソケット部２０に挿入された口金部１２と干渉しないように、両端部は切り欠かれてなり、ソケット部２０が露出するようにしている。
【００２７】
なお、図３は反射板５が取り外された、または取付け前の状態を示し、通常は、反射板５を取り付けてから蛍光ランプ１０を装着するか、または、蛍光ランプ１０を外してから反射板５を取り外すこととなる。
【００２８】
そして、図１に示す幅の広い反射板５に代えて、図示しない幅の狭い反射板を取り付ける場合には、図３の状態からサイドカバー４の開き角度が小さくなるように閉じ、図１の場合と同様に、幅の狭い反射板の両側縁が反射板取付け部４１の内側先端部の固着面４１ａに固着される。
【００２９】
このように、サイドカバー４の揺動により幅の異なる反射板５が固着可能である。つまり、幅の異なる複数種類の反射板５を用意し、設置する反射板５の幅に応じてサイドカバー４の開き角度を調整し、その先端の反射板取付け部４１に反射板５の両側部を固着するものである。
【００３０】
次に、図４は異なる形態の反射板６を設置した場合を示している。この図４では、蛍光ランプ１０の口金部１２およびソケット部２０は省略しているが、図１と同様に構成され、さらに、器具本体２の固定部３およびサイドカバー４も図１と同様に構成され、同一構成部分には同一符号を付してその説明を省略する。
【００３１】
この例の反射板６は、プラスチックまたは他の可撓性部材により形成され、その曲率が変更可能、すなわち、幅が変更可能である。反射板６は湾曲部位の両側部に水平方向に屈曲して係合部６ａを備え、この係合部６ａがサイドカバー４の先端の反射板取付け部４１における係合溝４１ｂに挿入係合されて、反射板６が固着されてなる。
【００３２】
このように可撓性部材によって構成された反射板６の取付け状態では、サードカバー４は反射板６を固着した状態で、その開き角度が変更可能であり、図示の状態より開き角度が大きくなるように変位可能である。それにより、反射板６の形態を変化させて、反射特性が変更できる。
【００３３】
なお、サードカバー４の開き角度を変更した状態に保持する必要がある場合には、開き角度位置の規制機構が必要に応じて設置される。
【００３４】
この可撓性部材による反射板６を固着した実施態様においては、図４に示す如く、反射板６の幅が狭い場合には、蛍光ランプ１０の口金部１２の周辺におけるサイドカバー４との間隔が狭いことより、そのランプ交換時などにおける作業が行い難くなるが、可撓性の反射板６を取り付けた状態でサイドカバー４を広げるように開き角度を変更させることができ、蛍光ランプ１０の両側の空間が広くなり、その把持が容易に行えて操作性に優れ、蛍光ランプ１０とソケット部２０とを容易に着脱することができる。
【００３５】
なお、可撓性部材によらない幅の狭い反射板５を設置している状態では、この反射板５の取付けが着脱構造の場合には、この反射板５を取り外した状態で、サイドカバー４を広げるように開き角度を変更させることにより、蛍光ランプ１０の両側の空間が広くなり、その把持が容易に行えて操作性に優れ、蛍光ランプ１０とソケット部２０とを容易に着脱することができる。
【００３６】
また、前記器具本体２の固定部３およびサイドカバー４は、それぞれアルミニウム製引抜き材で構成するのが好適であるように、その枢支部３３、連結部４２の構造を前述のように形成しているが、本発明はこれに限られるものではなく、例えば樹脂製、鉄製、鋼板製等であってもよく、適宜変更可能である。
【００３７】
前記サイドカバー４の反射板取付け部４１と連結部４２との距離すなわちサイドカバー４の揺動半径は、短いとその揺動に伴う反射板取り付け部４１の高さ方向変位が大きくなり、反射板５，６とランプ管１１との距離変動が大きくなる傾向となる。その点より、連結部４２の位置を設置面近傍に低くして揺動半径を大きくすることが好適であるが、設置する反射板の形態に応じて適宜設計変更可能である。
【００３８】
また上述した実施形態のランプ装置はそれぞれ上記のような構成としたが、本発明のランプ装置はこれに限られるものではなく、本発明の主旨を逸脱しない範囲において、適宜設計変更可能である。
【００３９】
例えば、ランプが端部端面に口金部を有する蛍光ランプまたは白熱ランプ管の場合には、器具本体の反射板保持構造は前記実施の形態と同様であるが、ソケット部は内側端面にスロットを備える形式のものが設置される。
【図面の簡単な説明】
【００４０】
【図１】本発明の一実施形態のランプ装置の正面図
【図２】図１の蛍光ランプを取り外した状態の要部の平面図
【図３】図１の反射板を取り外した状態の正面図
【図４】異なる形態の反射板を設置した状態を一部省略して示すランプ装置の正面図
【図５】本発明で用いる蛍光ランプの一例を示す要部側面図
【符号の説明】
【００４１】
１      ランプ装置
２      器具本体
３      固定部
４      サイドカバー
５，６  反射板
１０    蛍光ランプ
１１    ランプ管
１２    口金部
１２ａ    電極端子
２０    ソケット部
２１    スロット
２２    保持部材
３１    取付け基部
３２    基部側壁
３３    枢支部
３３ａ  湾曲溝
４１    反射板取付け部
４２    連結部
４２ａ  湾曲部
【図１】
2008218129.tif 000003
【図２】
2008218129.tif 000004
【図３】
2008218129.tif 000005
【図４】
2008218129.tif 000006
【図５】
2008218129.tif 000007